(57)【要約】【課題】通信線に重畳する高周波ノイズの影響を受け難くする。【解決手段】遠隔監視システムは、機器の周囲温度を計測する複数のセンサ端末Ａ１，Ａ２，…と、各センサ端末Ａｎと通信ケーブルＣにより接続され、各々のセンサ端末Ａｎから送信される温度の計測データを通信ケーブルＣを介して受信する監視装置Ｂとで構成される。センサ端末Ａｎは、温度センサやデータの送受信回路、並びに固有のＩＤを記憶したＲＯＭなどを１チップに集積化した温度センサＩＣ１と、電源線３１と通信線３２の間に挿入される抵抗Ｒ並びに通信線３２と接地線３３の間に挿入されるコンデンサＣからなるフィルタ部とを具備する。而して、センサ端末Ａｎにフィルタ部を設けて電源線３１や通信線３２に重畳する高周波ノイズを除去しているため、通信ケーブルＣが長くなっても電源線３１や通信線３２に重畳する高周波ノイズの影響を受け難くなる。【選択図】        図１
2005018343.tif 000002
【特許請求の範囲】
【請求項１】
監視対象の物理量を計測する複数のセンサ端末と、各センサ端末と通信線により接続され、各々のセンサ端末から送信される物理量の計測データを通信線を介して受信する監視装置とで構成される遠隔監視システムにおいて、物理量を電気信号に変換するセンサ部と、通信線を介して監視装置との間でデータの送受信を行う送受信部と、通信線に重畳する高周波ノイズを除去するフィルタ部とを各センサ端末に備えたことを特徴とする遠隔監視システム。
【請求項２】
通信線が接続される２つの接続部を各センサ端末に設け、複数のセンサ端末が２つの接続部にそれぞれ接続される通信線を介してデイジチェーンで監視装置に接続されることを特徴とする請求項１記載の遠隔監視システム。
【請求項３】
２つの接続部が送受信部に対して並列に接続されたことを特徴とする請求項２記載の遠隔監視システム。
【発明の詳細な説明】
【０００１】
【発明の属する技術分野】
本発明は、遠隔から監視対象の物理量を監視する遠隔監視システムに関するものである。
【０００２】
【従来の技術】
従来、機器の周囲温度や湿度などの物理量を遠隔から監視するものとして、ダラス・セミコンダクタ社が開発した「１ワイヤ・バス・システム」を利用した遠隔監視システムが提供されている（特許文献１参照）。この「１ワイヤ・バス・システム」では、固有のＩＤコードが割り当てられたデバイスが１線（実際には通信線とグランドを含めた２線）式の通信ケーブルによりホスト・コントローラにデイジチェーンで接続され、上記ＩＤコードによってホスト・コントローラが個々のデバイスを識別して各デバイスとの間でデータ（例えば、温度や湿度の計測データ）を受信することができるようになっている。
【０００３】
【特許文献１】
特表２００１−５０８５６２号公報（第７−８頁、第１図）
【０００４】
【発明が解決しようとする課題】
ところで上述の従来システムでは、通信ケーブルが長くなると誘起電圧などによって通信線に高周波ノイズが重畳されて通信に支障を来す虞があった。
【０００５】
本発明は上記事情に鑑みて為されたものであり、その目的は、通信線に重畳する高周波ノイズの影響を受け難い遠隔監視システムを提供することにある。
【０００６】
【課題を解決するための手段】
請求項１の発明は、上記目的を達成するために、監視対象の物理量を計測する複数のセンサ端末と、各センサ端末と通信線により接続され、各々のセンサ端末から送信される物理量の計測データを通信線を介して受信する監視装置とで構成される遠隔監視システムにおいて、物理量を電気信号に変換するセンサ部と、通信線を介して監視装置との間でデータの送受信を行う送受信部と、通信線に重畳する高周波ノイズを除去するフィルタ部とを各センサ端末に備えたことを特徴とする。
【０００７】
この発明によれば、各センサ端末に備えたフィルタ部により高周波ノイズを除去するため、通信線が長くなっても通信線に重畳する高周波ノイズの影響を受け難くなる。
【０００８】
請求項２の発明は、請求項１の発明において、通信線が接続される２つの接続部を各センサ端末に設け、複数のセンサ端末が２つの接続部にそれぞれ接続される通信線を介してデイジチェーンで監視装置に接続されることを特徴とする。
【０００９】
この発明によれば、センサ端末と同数のフィルタ部が通信線に対して多段に設けられることとなるから、耐ノイズ性に優れたシステムが構成できる。
【００１０】
請求項３の発明は、請求項２の発明において、２つの接続部が送受信部に対して並列に接続されたことを特徴とする。
【００１１】
この発明によれば、２つの接続部が何れも同等で通信線の接続順序に制約がないことから、省施工が図れるとともに施工のミスを防ぐことができる。
【００１２】
【発明の実施の形態】
以下、本発明を多数の機器の周囲温度を遠隔から監視する温度監視システムに適用した実施形態について、図面を参照して詳細に説明する。但し、本発明における監視対象の物理量は温度に限定されるものではなく、湿度などの他の物理量も監視対象になり得ることは言うまでもない。
【００１３】
本実施形態の遠隔監視システムは、従来技術で説明したダラス・セミコンダクタ社の「１ワイヤ・バス・システム」を利用するものであって、図１に示すように機器の周囲温度を計測する複数のセンサ端末Ａ１，Ａ２，…と、各センサ端末Ａｎ（ｎ＝１，２，…）と通信ケーブルＣにより接続され、各々のセンサ端末Ａｎから送信される物理量（温度）の計測データを通信ケーブルＣを介して受信する監視装置Ｂとで構成される。
【００１４】
監視装置Ｂは、マイコン１０と、各センサ端末Ａｎの計測データを記憶するためのメモリ１１と、センサ端末Ａｎとの間でデータ通信を行うための通信ドライバＩＣ１２と、３端子レギュレータＩＣからなり、マイコン１０や通信ドライバＩＣ１２並びにセンサ端末Ａｎの動作電源ＶＤＤを供給する電源部１３とを具備する。通信ドライバＩＣ１２は、「１ワイヤ・バス・システム」のバス制御用ドライバＩＣ（ダラス・セミコンダクタ社製  ＤＳ２４８０など）からなり、マイコン１０とセンサ端末Ａｎが具備する温度センサＩＣ（後述する）とのインタフェースの役割を果たすものである。
【００１５】
通信ケーブルＣは、給電用の電源線３１、通信線３２並びに接地線３３を有し、例えば、両端にＲＪ−１１と呼ばれる電話回線用のモジュラプラグが接続されたペア線のケーブル（所謂モジュラケーブル）によって構成される。
【００１６】
センサ端末Ａｎは、温度センサやデータの送受信回路、並びに固有のＩＤを記憶したＲＯＭなどを１チップに集積化した温度センサＩＣ（ダラス・セミコンダクタ社製  ＤＳ１８２０など）１と、通信ケーブルＣが接続される２つの接続部２Ａ，２Ｂと、電源線３１と通信線３２の間に挿入される抵抗Ｒ並びに通信線３２と接地線３３の間に挿入されるコンデンサＣからなるフィルタ部とを具備する。接続部２Ａ，２Ｂは通信ケーブルＣのモジュラプラグが挿抜自在に接続されるモジュラジャックからなる。
【００１７】
図２は温度センサＩＣ１のブロック図を示しており、温度に応じた電気信号を出力するセンサ部３と、センサ部３から出力される電気信号を温度の計測データに変換するデータ変換部４と、監視装置Ｂから送信されるデータの処理やデータ変換部４で変換された計測データの送信制御を行うコントロール部５と、通信線３２を介して監視装置Ｂの通信ドライバＩＣ１２との間でデータの送受信を行うとともに固有のＩＤを記憶するＲＯＭや電源線３１で供給される動作電源ＶＤＤを各部に送る送受信部６とを具備している。この送受信部６並びに監視装置Ｂの通信ドライバＩＣ１２は、図示しない抵抗でプルアップされた通信線３２と接地線３３の間に挿入されたトランジスタをオン・オフすることで２値の信号を送信しており、単位時間（タイムスロット）の間のＬレベルのパルス幅でデータが表現される。また、２つの接続部２Ａ，２Ｂは送受信部６に対して並列に接続されており、両者を接続する電源線３１と通信線３２との間にフィルタ部の抵抗Ｒが挿入され、同じく両者を接続する通信線３２と接地線３３との間にフィルタ部のコンデンサＣが挿入されている。なお、温度センサＩＣ１並びに通信ドライバＩＣ１２の詳細な構成及び動作については説明を省略する。
【００１８】
図３はセンサ端末Ａｎの外観図を示している。合成樹脂成型品からなるハウジング７の内部に温度センサＩＣ１やフィルタ部並びに接続部２Ａ，２Ｂが実装されたプリント配線板（図示せず）が収納され、ハウジング７の側面には接続部２Ａ，２Ｂを構成するモジュラジャックの差込口２ａが露出させてある。また、ハウジング１には周囲温度計測のために外気を導入する複数の外気導入溝８が形成されており、これらの外気導入溝８を通して導入された外気の温度（雰囲気温度）を温度センサＩＣ１で計測している。
【００１９】
上述のように構成される本実施形態の遠隔監視システムによれば、監視対象とする機器の周囲温度（雰囲気温度）をセンサ端末Ａｎで逐次計測し、その計測データを通信ケーブルＣを介して監視装置Ｂに取り込むことで遠隔から一括して監視することができる。そして、監視装置Ｂでは、センサ端末Ａｎから送られてくる計測データに基づいて機器の動作状態をマイコン１０が監視しており、例えば計測データの温度値が機器の動作保証範囲を外れるような異常が発生していると判断される場合にインターネットなどのネットワークを通じてマイコン１０が上位のシステムに報知するようにプログラムされている。
【００２０】
ここで、従来技術で説明したようにセンサ端末Ａｎの数が増えるにつれて通信ケーブルＣの総延長距離も長くなってノイズの影響を受けやすくなるが、本実施形態では各センサ端末Ａｎにフィルタ部を設けて電源線３１や通信線３２に重畳する高周波ノイズを除去しているため、通信ケーブルＣが長くなっても電源線３１や通信線３２に重畳する高周波ノイズの影響を受け難くなるものである。また、複数のセンサ端末Ａｎが２つの接続部２Ａ，２Ｂにそれぞれ接続される通信ケーブルＣを介してデイジチェーンで監視装置Ｂに接続されるため、センサ端末Ａｎと同数のフィルタ部が通信ケーブルＣに対して多段に設けられることとなるから、耐ノイズ性に優れたシステムが構成できるという利点がある。さらに、２つの接続部２Ａ，２Ｂが温度センサＩＣ１の送受信部６に対して並列に接続されているから、２つの接続部２Ａ，２Ｂが何れも同等で通信ケーブルＣの接続順序に制約がない、つまり、２つの接続部２Ａ，２Ｂの何れでも送受信が可能であることから、通信ケーブルＣにより監視装置Ｂにセンサ端末Ａｎを接続する施工作業の省力化が図れるとともに施工のミスを防ぐことができるという利点もある。
【００２１】
【発明の効果】
請求項１の発明によれば、各センサ端末に備えたフィルタ部により高周波ノイズを除去するため、通信線が長くなっても通信線に重畳する高周波ノイズの影響を受け難くなるという効果がある。
【００２２】
請求項２の発明によれば、センサ端末と同数のフィルタ部が通信線に対して多段に設けられることとなるから、耐ノイズ性に優れたシステムが構成できるという効果がある。
【００２３】
請求項３の発明によれば、２つの接続部が何れも同等で通信線の接続順序に制約がないことから、省施工が図れるとともに施工のミスを防ぐことができるという効果がある。
【図面の簡単な説明】
【図１】本発明の一実施形態を示すシステム構成図である。
【図２】同上におけるセンサ端末のブロック図である。
【図３】同上におけるセンサ端末の外観斜視図である。
【符号の説明】
Ａｎ  センサ端末
Ｂ  監視装置
Ｃ  通信ケーブル
１  温度センサＩＣ
１０  マイコン
１２  通信ドライバＩＣ
３１  電源線
３２  通信線
３３  接地線
Ｒ  抵抗
Ｃ  コンデンサ
【図１】
2005018343.tif 000003
【図２】
2005018343.tif 000004
【図３】
2005018343.tif 000005